(57)【要約】【課題】梁の上面の屋外側の部分を乾式の耐火構造とする耐火建物構造および受け部材を提供する。【解決手段】この耐火建物構造は、建物１００の外周部に設けられる鉄骨梁２の上面の屋内側に床板３の端部が置かれ、上記鉄骨梁２が耐火材４によって被覆される耐火建物構造である。上記鉄骨梁２の上面の屋外側には内装建材である内壁７および床下地材３１を受ける長尺の受け部材１が配置されており、上記受け部材１の下方側に上記耐火材４を存在させている。上記受け部材１は、上記鉄骨梁２の上面上に点在配置で設けられた支持部材６１に固定されている。【選択図】図１
2019002159.tif 000002
【特許請求の範囲】
【請求項１】
建物外周部に設けられる梁の上面の屋内側に床板の端部が置かれ、上記梁が耐火材によって被覆される耐火建物構造であって、上記梁の上面の屋外側には内装建材を受ける長尺の受け部材が配置されており、上記受け部材の下方側に上記耐火材を存在させたことを特徴とする耐火建物構造。
【請求項２】
請求項１に記載の耐火建物構造において、上記受け部材は、上記梁の上面上に点在配置で設けられた支持部材に固定されることを特徴とする耐火建物構造。
【請求項３】
請求項２に記載の耐火建物構造において、上記支持部材によって外壁が支持されることを特徴とする耐火建物構造。
【請求項４】
請求項２または請求項３に記載の耐火建物構造において、上記支持部材は、縦板部と、当該縦板部の上側に位置して上記受け部材を支持する水平部とを有することを特徴とする耐火建物構造。
【請求項５】
請求項２〜請求項４のいずれか１項に記載の耐火建物構造において、上記受け部材は、上記支持部材に留め付けられる第１面部と、上記内装建材としての内壁を受ける第２面部と、上記内装建材としての床材を受ける第３面部とを有することを特徴とする耐火建物構造。
【請求項６】
請求項５に記載の耐火建物構造において、上記第２面部が上記第３面部よりも高い位置に形成されていることを特徴とする耐火建物構造。
【請求項７】
建物の梁の上面上に設けられる支持部材に留め付けられる第１面部と、建物の内壁を受ける第２面部と、建物の床材を受ける第３面部と、を備えた長尺の部材からなり、上記第１面部の一方の縁側で立ち上げられた立上り部上に上記第２面部を有し、他方の縁側で立ち上げられた立上り部上に上記第３面部を有することを特徴とする受け部材。
【請求項８】
建物の梁の上面上に設けられる支持部材に留め付けられる第１面部と、建物の内壁を受ける第２面部と、建物の床材を受ける第３面部と、を備えた長尺の部材からなり、上記第２面部が上記第３面部よりも高い位置に形成されていることを特徴とする受け部材。
【発明の詳細な説明】
【技術分野】
【０００１】
この発明は、火炎による熱に耐える耐火建物構造およびこの耐火建物構造に用いる受け部材に関する。
【背景技術】
【０００２】
特許文献１には、建物外周部に設けられる鉄骨梁の上面の屋内側部分に床板の端部が置かれ、上記鉄骨梁の周囲が耐火材によって被覆される耐火建物構造が開示されている。上記耐火建物構造では、上記鉄骨梁の上面の屋外側にモルタル部を形成する湿式構造が採用されている。
【０００３】
なお、特許文献２には、バルコニーや陸屋根等において、鉄骨梁の横側に設けられた耐火性支持版と、上記鉄骨梁の上フランジ上に設けられ、この上フランジ上に隙間部を形成する隙間形成部材と、上記隙間部に入れられた耐火材と、を備える構造が開示されている。ただし、上記隙間形成部材は、内壁や床下地等の内装建材を受けるものではない。
【先行技術文献】
【特許文献】
【０００４】
【特許文献１】特許第５１７９９９８号
【特許文献１】特開２０１７−４００７７号
【発明の概要】
【発明が解決しようとする課題】
【０００５】
上記特許文献１のように、鉄骨梁の上面の屋外側にモルタル部を形成する湿式構造では、モルタルが漏れないようにモルタル留めが必要であり、また、高所でのモルタル充填作業となるため、作業効率が悪くなる。また、上記モルタルの養生の期間が必要になるために工期が長くなり、高コスト化するという欠点がある。
【０００６】
この発明は、上記の事情に鑑み、梁の上面の屋外側を乾式の耐火構造とする耐火建物構造および受け部材を提供する。
【課題を解決するための手段】
【０００７】
この発明の耐火建物構造は、上記の課題を解決するために、建物外周部に設けられる梁の上面の屋内側に床板の端部が置かれ、上記梁が耐火材によって被覆される耐火建物構造であって、上記梁の上面の屋外側には内装建材を受ける長尺の受け部材が配置されており、上記受け部材の下方側に上記耐火材を存在させたことを特徴とする。
【０００８】
上記の構成であれば、上記内装建材を受ける長尺の受け部材の下方側に上記耐火材を存在させるので、上記梁の上面の屋外側にモルタル部を設けない乾式の耐火構造とすることが可能になる。これにより、作業効率が向上し、また、工期を短くしてコストを低減することができる。また、上記受け部材は長尺の部材であるので、仮に受け部材が短尺で点在配置しなければならない構造に比べると、受け部材設置の作業負担も軽減される。
【０００９】
上記受け部材は、上記梁の上面上に点在配置で設けられた支持部材に固定されてもよい。これによれば、上記支持部材間において、上記受け部材の下方側に間隙を形成して上記耐火材を存在させることができる。
【００１０】
上記支持部材によって外壁が支持されてもよい。これによれば、上記支持部材が上記受け部材の支持と上記外壁の支持とを兼ねるので、部品点数を少なくすることができる。
【００１１】
上記支持部材は、縦板部と、当該縦板部の上側に位置して上記受け部材を支持する水平部とを有してもよい。上記縦板部を有することにより、当該支持部材が仮にブロック状に形成された場合に比べて、当該支持部材の横幅を薄くすることができ、耐火材が配置されない領域を極力少なくすることが可能になる。
【００１２】
上記受け部材は、上記支持部材に留め付けられる第１面部と、上記内装建材としての内壁を受ける第２面部と、上記内装建材としての床材を受ける第３面部とを有してもよい。これによれば、当該受け部材によって建物の内壁と床材の両方を支持することができる。
【００１３】
上記第２面部が上記第３面部よりも高い位置に形成されていてもよい。これによれば、建物の内壁を、建物の床材よりも上側となる位置において、当該床材の縁側を介在させることなく、支持することができる。これにより、上記床材の縁側が外壁の裏面側で露呈されないようにすることができ、耐火性をより向上させることができる。
【００１４】
また、この発明の受け部材は、建物の梁の上面上に設けられる支持部材に留め付けられる第１面部と、建物の内壁を受ける第２面部と、建物の床材を受ける第３面部と、を備えた長尺の部材からなり、上記第１面部の一方の縁側で立ち上げられた立上り部上に上記第２面部を有し、他方の縁側で立ち上げられた立上り部上に上記第３面部を有していてもよい。
【００１５】
上記の構成であれば、当該受け部材を、例えば、板材の折り曲げ加工等により低コストで生産することが可能になる。また、上記立上り部によって、受け部材を薄い素材で形成しつつ剛性を高めることが可能になる。
【００１６】
また、この発明の受け部材は、建物の梁の上面上に設けられる支持部材に留め付けられる第１面部と、建物の内壁を受ける第２面部と、建物の床材を受ける第３面部と、を備えた長尺の部材からなり、上記第２面部が上記第３面部よりも高い位置に形成されていることを特徴とする。
【００１７】
上記の構成であれば、建物における内壁と床材の両方を支持することができる。また、上記第２面部が上記第３面部よりも高い位置に形成されているので、当該受け部材によって建物の内壁を建物の床材よりも上側となる位置に当該床材の縁側を介在させることなく、支持することができる。
【発明の効果】
【００１８】
本発明であれば、建物外周部に設けられる梁の上面の屋外側にモルタル部を設ける必要がなく、当該部分を乾式の耐火構造とすることができるので、作業効率がよくなり、また、工期を短くしてコストを低減することができる。さらに、受け部材が長尺の部材であるので、仮に受け部材を短尺で点在配置しなければならない構造と比べると、受け部材設置の作業負担も軽減される。
【図面の簡単な説明】
【００１９】
【図１】本発明の実施形態に係る耐火建物構造および受け部材を示した断面視の説明図である。
【図２】同図（Ａ）は図１の耐火建物構造の平面視の説明図であり、同図（Ｂ）は同側面視の説明図である。
【図３】図１の耐火建物構造の概略の斜視図である。
【図４】他の実施形態に係る耐火建物構造および受け部材を示した断面視の説明図である。
【図５】他の実施形態に係る耐火建物構造および受け部材を示した断面視の説明図である。
【図６】他の実施形態に係る耐火建物構造および受け部材を示した断面視の説明図である。
【図７】他の実施形態に係る耐火建物構造および受け部材を示した断面視の説明図である。
【発明を実施するための形態】
【００２０】
以下、この発明の実施の形態を添付図面に基づいて説明する。
図１、図２および図３に示すように、この実施形態にかかる耐火建物構造は、建物１００の外周部に設けられる鉄骨梁２の上面の屋内側部分に床板３の端部が置かれており、上記鉄骨梁２の周囲が耐火材４によって被覆される構造である。上記鉄骨梁２は、例えば、Ｈ形鋼からなり、上記床板３は、例えば、ＡＬＣ板（Ａｕｔｏｃｌａｖｅｄ  Ｌｉｇｈｔｗｅｉｇｈｔ  ａｅｒａｔｅｄ  Ｃｏｎｃｒｅｔｅ）からなり、上記耐火材４は、例えば、耐熱ロックウールからなる柔軟性を有する巻き付け可能な耐火被覆材からなる。
【００２１】
上記床板３には上下に貫通孔が形成されており、この貫通孔に装着された固定具５によって当該床板３が鉄骨梁２の上フランジに固定される。上記床板３が置かれる上フランジ上面の屋内側については、当該床板３が耐火材となるので、上記耐火材４の被覆は必要としていない。
【００２２】
上記耐火材４の一端側４ａは、上記上フランジの屋内側の縁の近傍であって上記床板３の下面に固定される。また、この耐火材４は、上記鉄骨梁２の内側面を覆って下フランジの下面側に至り、上記鉄骨梁２の外側面で立ち上げられる。そして、この耐火材４の他端側４ｂは、上記上フランジの上面に至り、上記床板３の端面に接するようにして固定される。
【００２３】
上記上フランジの上面上の屋外側となる部分には、複数の外壁支持部材６１が所定間隔をおいて点在配置されており、各外壁支持部材６１は、その底板部６１ａに形成されている貫通孔および上記上フランジに形成されている貫通孔に通されたボルト・ナット等の締結部材６２によって上記上フランジに固定されている。
【００２４】
上記外壁支持部材６１は、上記底板部６１ａと、この底板部６１ａの梁長手方向中央側で縦配置された縦板部６１ｂと、当該縦板部６１ｂの上側位置に設けられた水平部６１ｃと、上記底板部６１ａおよび上記縦板部６１ｂの屋外側端に溶接等により固定された外壁取付板６１ｄとを有する。上記水平部６１ｃは、例えば、上記縦板部６１ｂの頂部の両側面に溶接等により固定された２枚のＬアングルの水平板部によって形成されている。また、上記外壁取付板６１ｄには、外壁パネル６の裏面側に位置するフレームの縦フレーム部がボルト・ナット等の締結部材によって固定される。
【００２５】
そして、金属製で長尺の受け部材１が上記複数の外壁支持部材６１を跨いで架け渡されており、この受け部材１の下方側に上記耐火材４が存在している。上記受け部材１としては、その長さが、例えば、外壁パネル６の幅よりも長いものを用いることも可能である。
【００２６】
また、上記受け部材１は、建物１００の上記鉄骨梁２の上面上に設けられる上記外壁支持部材６１に固定される第１面部１１と、建物１００の内壁（内装建材）７の下面を受ける第２面部１２と、建物１００の床材としての床下地材（内装建材）３１の下面を受ける第３面部１３と、を備える。上記内壁７は、例えば、金属製のランナーとスタッドと石こうボード等からなる。また、上記床下地材３１は、例えば、パーチクルボード等からなる。なお、内装建材は、建物の内装に用いられる建材であり、上記の内壁７および床下地材３１を含む。
【００２７】
また、上記受け部材１においては、上記第１面部１１を水平に有するとともに、この第１面部１１の一方の縁側(屋外側)で立ち上げられた立上り部上に上記第２面部１２が水平に形成され、他方の縁側（屋内側）で立ち上げられた立上り部上に上記第３面部１３が水平に形成された断面略逆ハット形状を有している。そして、上記第２面部１２は、上記第３面部１３よりも高い位置に形成されている．
【００２８】
そして、上記受け部材１は、上記第１面部１１を上記水平部６１ｃに当接させて配置される。上記第１面部１１上であって上記水平部６１ｃが位置する箇所(２箇所)には、上側からビス１４がねじ込まれており、上記ビス１４によって上記受け部材１が上記外壁支持部材６１上に固定されている。
【００２９】
また、上記受け部材１の上記第２面部１２によって、上記内壁７が支持されており、上記内壁７の下部がビス７ａによって上記第２面部１２に固定されている。上記内壁７の屋内側部位は、上記第２面部１２の屋内側縁からはみ出ており、この内壁７の屋内側部位の下側に上記床下地材３１の縁側が入り込んでいる。
【００３０】
また、上記受け部材１の上記第３面部１３の端は、上記床板３の側面近傍まで延びており、この第３面部１３によって、上記床下地材３１の縁側が支持されるとともに、この縁側の下面が露呈されずに上記第３面部１３等によって覆われている。そして、上記床下地材３１に上側から下孔無しで打ち込まれたドリルビス３１ａの先端側が上記第３面部１３に螺着しており、これによって上記床下地材３１が上記受け部材１に固定される。また、上記床下地材３１上には、床仕上げ材が設けられている。
【００３１】
上記の構成であれば、上記内装建材（内壁７、床下地材３１）を受ける上記受け部材１の下方側に上記耐火材４を存在させるので、上記鉄骨梁２の上面の屋外側にモルタル部を設けない乾式の耐火構造とすることが可能になる。これにより、作業効率が向上し、また、工期を短くしてコストを低減することができる。また、上記受け部材１は長尺の部材であるので、受け部材１を仮に短尺で点在配置しなければならない構造に比べると、受け部材設置の作業負担も軽減される。
【００３２】
上記受け部材１が上記鉄骨梁２の上面上に点在配置で設けられた外壁支持部材６１に固定される構造であると、上記外壁支持部材６１間において、上記受け部材１の下方側に間隙を形成して上記耐火材４を存在させることができる。
【００３３】
また、上記外壁支持部材６１によって外壁パネル６が支持されると、上記外壁支持部材６１が上記受け部材１の支持と上記外壁パネル６の支持とを兼ねるので、部品点数を少なくすることができる。
【００３４】
上記外壁支持部材６１が、縦板部６１ｂと、当該縦板部６１ｂの上側に位置して上記受け部材１を支持する水平部６１ｃとを有する構造であると、当該外壁支持部材６１が仮にブロック状に形成された場合に比べて、当該外壁支持部材６１の横幅を薄くすることができ、耐火材４が配置されない領域を極力少なくすることが可能になる。
【００３５】
上記受け部材１が、上記外壁支持部材６１に留め付けられる第１面部１１と、上記内装建材としての内壁７を受ける第２面部１２と、上記内装建材としての床下地材３１を受ける第３面部１３とを有していると、当該受け部材１で上記内壁７と床下地材３１の両方を支持することができる。
【００３６】
また、上記第２面部１２が上記第３面部１３よりも高い位置に形成されていると、当該受け部材１によって、上記内壁７を上記床下地材３１よりも上側となる位置で当該床下地材３１の縁部を介在させずに支持することができる。したがって、上記床下地材３１が可燃材であっても、その縁側が外壁パネル６の裏面側に露呈されないようにして建物１００の耐火性をより向上させることができる。もちろん、このような構造に限るものではなく、上記床下地材３１の縁部が外壁パネル６の裏面側に露呈される構造とすることもできる。
【００３７】
また、上記受け部材１が、上記第１面部１１を水平配置に有するとともに、この第１面部１１の一方の縁側で立ち上げられた立上り部上に上記第２面部１２が形成され、他方の縁側で立ち上げられた立上り部上に上記第３面部１３が形成された形状を有すると、例えば、金属製板材の折り曲げ加工等により上記受け部材１を低コストで生産することが可能になる。また、上記立上り部によって、上記受け部材１の剛性を高めることができ、上記内壁７や床下地材３１をしっかりと受け止めることができる。
【００３８】
図４は受け部材１Ａを備えた耐火建物構造の他の実施形態を示している。この受け部材１Ａは、建物１００の上記鉄骨梁２の上面上に設けられる上記外壁支持部材６１に固定される第１面部１１と、建物１００の内壁（内装建材）７を支持する第２面部１２と、建物１００の床下地材（内装建材）３１を支持する第３面部１３と、を備えるものであるが、先の実施形態の受け部材１よりも高さが低くされた逆ハット形状を有している。そして、この受け部材１Ａにおいては、先述の受け部材１に比べて高さの低い立上り部に上記第３面部１３が接続されている。かかる構造では、先述の受け部材１に比べて、材料費を少なくすることができる。なお、この図４に示す構造では、上記第１面部１１と上記第３面部１３とを接続する立上り部の高さを低くするために、上記水平部６１ｃの高さ位置が高くされている。
【００３９】
図５は受け部材１Ｂを備えた耐火建物構造の他の実施形態を示している。先の実施形態では、上記受け部材１、１Ａは一体物であったが、この受け部材１Ｂは、断面が略Ｚ形状を有する２枚の部材からなっており、これら２枚の部材を合わせることで逆ハット形状が得られるようになっている。この実施形態では、上記２枚の部材の底側板部が重なって第１面部１１を形成している。また、この受け部材１Ｂにおいても、第２面部１２が第３面部１３よりも高い位置に形成されている。かかる構造では、上記受け部材１Ｂを構成する各部材を多数枚重ねても嵩張りにくくなるので効率的な搬送が可能になる。
【００４０】
図６は受け部材１Ｃを備えた耐火建物構造の他の実施形態を示している。上記受け部材１Ｃは、断面形状が略リップ溝形鋼状を有するものであるが、他の受け部材と同様、上記鉄骨梁２の上面上に設けられる上記外壁支持部材６１に固定される第１面部１１と、内壁７を支持する第２面部１２と、床下地材３１を支持する第３面部１３と、を備えている。また、上記第２面部１２は、上記第３面部１３よりも高い位置に形成されている。かかる構造でも、金属板材の折り曲げ加工等により当該受け部材１Ｃを低コストで生産することが可能になる。なお、上記受け部材１Ｃを用いる場合、床下地材３１の縁側を内壁７の下側、すなわち、上記第２面部１２の下側まで張り出させたとしても、この床下地材３１の縁側を上記受け部材１Ｃによって覆うことができる。
【００４１】
また、受け部材は、上記受け部材１，１Ａ，１Ｂ、１Ｃに限らず、閉断面形状の角筒状部材で形成もよい。この場合、ビス１４は水平部６１ｃの底面側からねじ込んで上記閉断面形状の角筒状部材の受け部材を水平部６１ｃに固定することができる。また、支持部材は外壁を支持する外壁支持部材６１に限らず、外壁を支持しない支持部材とすることもできる。
【００４２】
また、図７に示すように、ロックウール等の柔軟な耐火材８を、外壁支持部材６１や受け部材１等の周囲に詰め込み、上記内壁７と外壁パネル６との間の隙間に火災時の熱（炎）が通るのを遮断するようにしてもよい。ここで、湿式工法であれば、充填された耐火材であるモルタルで内装材を支持することになり、耐火材の選択の自由度は低い。これに対し、図７に示すような乾式工法であれば、耐火材の選択の自由度は高くなり、上記耐火材８として硬いものではなく、柔軟なものを使用できる。
【００４３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４４】
１      ：受け部材
１Ａ    ：受け部材
１Ｂ    ：受け部材
１Ｃ    ：受け部材
２      ：鉄骨梁
３      ：床板
４      ：耐火材
４ａ    ：一端側
４ｂ    ：他端側
５      ：固定具
６      ：外壁パネル(外壁)
７      ：内壁
７ａ    ：ビス
８      ：耐火材
１１    ：第１面部
１２    ：第２面部
１３    ：第３面部
１４    ：ビス
３１    ：床下地材（床材）
３１ａ  ：ドリルビス
６１    ：外壁支持部材（支持部材）
６１ａ  ：底板部
６１ｂ  ：縦板部
６１ｃ  ：水平部
６１ｄ  ：外壁取付板
６２    ：締結部材
１００  ：建物
【図１】
2019002159.tif 000003
【図２】
2019002159.tif 000004
【図３】
2019002159.tif 000005
【図４】
2019002159.tif 000006
【図５】
2019002159.tif 000007
【図６】
2019002159.tif 000008
【図７】
2019002159.tif 000009